(57)【特許請求の範囲】
【請求項１】
支持体上に天板を設けた天板付き什器における前記天板の側端に、拡張天板を着脱自在に取り付ける拡張天板の取付構造であって、
前記拡張天板の下面に設けた係合部と、
前記天板の下面に、一部が前記天板の側端より外側方に進退可能として設けられ、前記天板の側端より外側方に進出した部分により、前記拡張天板を支持することができ、かつ前記天板の側端より外側方に進出しうる部分に、前記係合部と係合しうる被係合部が設けられた支持ブラケットと、
前記拡張天板を前記天板の側端に当接させ、かつ前記支持ブラケットを前記天板の内方に引き寄せた状態で、前記支持ブラケットを前記天板に止着する止着手段
とを備えることを特徴とする拡張天板の取付構造。
【請求項２】
係合部を、拡張天板の下面に軸部が突設され、かつ前記軸部の下端に拡大頭部を備える有頭ピンとし、かつ被係合部を、支持ブラケットに穿設され、前記有頭ピンの拡大頭部が遊通しうる大径孔と、その外側部分に連設され、前記有頭ピンの軸部が挿通可能で、拡大頭部は挿通不能とした狭幅孔とを有する係合孔とした請求項１記載の拡張天板の取付構造。
【請求項３】
天板付き什器における天板を支持する支持体の上端に、内外方向に貫通する挿通孔を設け、支持ブラケットを前記挿通孔に挿通させることにより、前記支持ブラケットを前記天板の下面に摺動可能として装着した請求項１または２記載の拡張天板の取付構造。
【請求項４】
請求項１〜３のいずれかに記載の拡張天板の取付構造を備える天板付き什器。
【請求項５】
支持体上に天板を設けた天板付き什器における前記天板の側端に、拡張天板を着脱自在に取り付ける拡張天板の取付方法であって、
前記天板の下面に、一部が前記天板の側端より外側方に進退可能として設けられ、かつ前記天板の側端より外側方に進出しうる部分に被係合部が設けられた支持ブラケットを、前記一部が前記天板の側端より外側方に突出するように進出させた後、拡張天板を、その下面に設けた係合部が前記被係合部に係合するようにして、前記支持ブラケットにおける前記天板の側端より外側方に進出した部分の上に載置し、その後、前記拡張天板を前記天板の側端に当接させ、かつ前記支持ブラケットを前記天板の内方に引き寄せた状態で、前記支持ブラケットを前記天板に止着手段をもって止着することを特徴とする拡張天板の取付方法。
【請求項６】
係合部を、拡張天板の下面に軸部が突設され、かつ前記軸部の下端に拡大頭部を備える有頭ピンとし、かつ被係合部を、支持ブラケットに穿設され、前記有頭ピンの拡大頭部が遊通しうる大径孔と、その外側部分に連設され、前記有頭ピンの軸部のみが挿通可能で、拡大頭部は挿通不能とした狭幅孔とを有する係合孔とし、前記有頭ピンを前記大径孔に上方より嵌合することにより、前記拡張天板を前記支持ブラケット上に載置し、その後、前記支持ブラケットを前記天板の内方に引き寄せることにより、前記有頭ピンの軸部を狭幅孔に係合させて、前記有頭ピンの拡大頭部が支持ブラケットの下面に係合することにより、有頭ピンを支持ブラケットより上方に抜け止めすることを特徴とする請求項５記載の拡張天板の取付方法。
【発明の詳細な説明】
【技術分野】
【０００１】
本発明は、支持体上に天板を設けた天板付き什器における天板の側端に、拡張天板を着脱自在に取り付ける拡張天板の取付構造、およびそれを備える天板付き什器、並びに拡張天板の取付方法に関する。
【背景技術】
【０００２】
従来の天板付き什器、例えばデスク、テーブル、机等には、より広い執務用平面を確保するため、または室内の側壁と天板との隙間を閉塞するために、天板の側端に、拡張天板を取り付けることがある(例えば特許文献１および２参照)。
【先行技術文献】
【特許文献】
【０００３】
【特許文献１】特開２００８−１１９４１３号公報
【特許文献２】特開２０１４−０９０９２１号公報
【発明の概要】
【発明が解決しようとする課題】
【０００４】
しかし、上述のような従来の拡張天板の取付手段によると、例えば特許文献１(特に、その図８参照)におけるように、拡張天板の下面に、天板の下方より外側方に突出させた補助ステーの先端部をねじ止めするようにしているので、拡張天板を取り付けようとする天板の側方、特に取り付けられる拡張天板の下方に、取り付け作業のための十分な空間が必要であり、例えば、天板付き什器の天板の側端と、室内の側壁との間に狭小な隙間しかなく、そこに拡張天板を取り付けようとした場合、十分な作業空間を確保することができず、取り付け作業が実質的に不可能となることがある。
【０００５】
本発明は、従来の技術が有する上記のような問題点に鑑みてなされたもので、天板の側方に、拡張天板の取り付けのための十分な作業空間を確保することができない場合でも、拡張天板を簡単かつ迅速に取り付けることができるようにした拡張天板の取付構造、およびそれを備える天板付き什器、並びに拡張天板の取付方法を提供することを目的としている。
【課題を解決するための手段】
【０００６】
本発明によると、上記課題は、次のようにして解決される。
（１）支持体上に天板を設けた天板付き什器における前記天板の側端に、拡張天板を着脱自在に取り付ける拡張天板の取付構造において、前記拡張天板の下面に設けた係合部と、前記天板の下面に、一部が前記天板の側端より外側方に進退可能として設けられ、前記天板の側端より外側方に進出した部分により、前記拡張天板を支持することができ、かつ前記天板の側端より外側方に進出しうる部分に、前記係合部と係合しうる被係合部が設けられた支持ブラケットと、前記拡張天板を前記天板の側端に当接させ、かつ前記支持ブラケットを前記天板の内方に引き寄せた状態で、前記支持ブラケットを前記天板に止着する止着手段とを備えるものとする。
【０００７】
このような構成によると、支持ブラケットの一部を天板の側端より外側方に進出させた後、その上に、拡張天板を、その下面に設けた係合部が支持ブラケットの被係合部に係合するようにして載置し、その後、拡張天板を天板の側端に当接させ、かつ支持ブラケットを天板の内方に引き寄せた状態で、支持ブラケットを天板に止着手段をもって止着することによって、天板の側方に拡張天板の取り付けのための十分な作業空間を確保することができない場合でも、拡張天板を簡単かつ迅速に取り付けることができる。
【０００８】
（２）上記(１)項において、係合部を、拡張天板の下面に軸部が突設され、かつ前記軸部の下端に拡大頭部を備える有頭ピンとし、かつ被係合部を、支持ブラケットに穿設され、前記有頭ピンの拡大頭部が遊通しうる大径孔と、その外側部分に連設され、前記有頭ピンの軸部が挿通可能で、拡大頭部は挿通不能とした狭幅孔とを有する係合孔とする。
【０００９】
このような構成によると、有頭ピンの拡大頭部を、支持ブラケットにおける係合孔の大径孔に挿通させることにより、拡張天板を、天板の側端より突出させた支持ブラケットの突出部上に載置し、その後、支持ブラケットを天板の内方に引き寄せることにより、有頭ピンにおける軸部が係合孔の狭幅孔に係合し、かつ有頭ピンにおける拡大頭部が、支持ブラケットの下面における狭幅孔の縁部に係合し、拡張天板は、その内端が天板の外側端に当接した状態で、上下、左右、前後のいずれの方向にも移動不能として、天板に強固に固着される。
【００１０】
（３）上記（１）または(２)項において、天板付き什器における天板を支持する支持体の上端に、内外方向に貫通する挿通孔を設け、支持ブラケットを前記挿通孔に挿通させることにより、前記支持ブラケットを前記天板の下面に摺動可能として装着する。
【００１１】
このような構成によると、支持ブラケットを、天板の下面に、一部が天板の側端より外側方に進退可能として、簡単に支持させることができる。
【００１２】
（４）天板付き什器を、上記(１)〜(３)項のいずれかに記載の拡張天板の取付構造を備えるものとする。
【００１３】
このような構成によると、天板の側方に拡張天板の取り付けのための十分な作業空間を確保することができない場合でも、拡張天板を簡単かつ迅速に取り付けることができる天板付き什器を提供することができる。
【００１４】
（５）支持体上に天板を設けた天板付き什器における前記天板の側端に、拡張天板を着脱自在に取り付ける拡張天板の取付方法において、前記天板の下面に、一部が前記天板の側端より外側方に進退可能として設けられ、かつ前記天板の側端より外側方に進出しうる部分に被係合部が設けられた支持ブラケットを、前記一部が前記天板の側端より外側方に突出するように進出させた後、拡張天板を、その下面に設けた係合部が前記被係合部に係合するようにして、前記支持ブラケットにおける前記天板の側端より外側方に進出した部分の上に載置し、その後、前記拡張天板を前記天板の側端に当接させ、かつ前記支持ブラケットを前記天板の内方に引き寄せた状態で、前記支持ブラケットを前記天板に止着手段をもって止着する。
【００１５】
このような方法によると、天板の側方に拡張天板の取り付けのための十分な作業空間を確保することができない場合でも、拡張天板を簡単かつ迅速に取り付けることができる。
【００１６】
（６）上記(５)項において、係合部を、拡張天板の下面に軸部が突設され、かつ前記軸部の下端に拡大頭部を備える有頭ピンとし、かつ被係合部を、支持ブラケットに穿設され、前記有頭ピンの拡大頭部が遊通しうる大径孔と、その外側部分に連設され、前記有頭ピンの軸部のみが挿通可能で、拡大頭部は挿通不能とした狭幅孔とを有する係合孔とし、前記有頭ピンを前記大径孔に上方より嵌合することにより、前記拡張天板を前記支持ブラケット上に載置し、その後、前記支持ブラケットを前記天板の内方に引き寄せることにより、前記有頭ピンの軸部を狭幅孔に係合させて、前記有頭ピンの拡大頭部が支持ブラケットの下面に係合することにより、有頭ピンを支持ブラケットより上方に抜け止めする。
【００１７】
このような方法によると、有頭ピンにおける軸部が係合孔の狭幅孔に係合し、かつ有頭ピンにおける拡大頭部が、支持ブラケットの下面における狭幅孔の縁部に係合し、拡張天板は、その内端が天板の外側端に当接した状態で、上下、左右、前後のいずれの方向にも移動不能として、天板に強固に固着される。
【発明の効果】
【００１８】
本発明によると、天板の側方に、拡張天板の取り付けのための十分な作業空間を確保することができない場合でも、拡張天板を簡単かつ迅速に取り付けることができるようにした拡張天板の取付構造、およびそれを備える天板付き什器、並びに拡張天板の取付方法を提供することができる。
【図面の簡単な説明】
【００１９】
【図１】本発明の拡張天板の取付構造を備える天板付き什器の第１の実施形態を斜め上方より見た斜視図である。
【図２】同じく、右側部の分解斜視図である。
【図３】同じく、拡張天板を、天板と室内の壁との間において取り付けたときの、一方の支持ブラケットの中心線に沿って縦断したときの要部の拡大縦断正面図である。
【図４】拡張天板を取り付ける途中の状態を示す、図３と同様の縦断正面図である。
【図５】本発明の天板付き什器の第１の実施形態の別の使用形態を斜め上方より見た斜視図である。
【図６】図５のVI−VI線における拡大縦断正面図である。
【図７】本発明の拡張天板の取付構造を備える天板付き什器の第２の実施形態における、図３と同様の縦断正面図である。
【発明を実施するための形態】
【００２０】
以下、本発明の拡張天板の取付構造、およびそれを備える天板付き什器の実施形態を、図面を参照して説明する。
図１〜図６は、本発明の拡張天板の取付構造を備える天板付き什器の第１の実施形態を示す。
【００２１】
図１に示すように、この天板付き什器は、テーブル１としてある。
このテーブル１は、平面視方形の天板２と、それを支持する支持体３とを備えており、支持体３は、この例では、下端前後部に不陸調整用のアジャスタ４を設けた、前後方向を向く板状の左右１対の側脚５、５と、天板２の下方において両側脚５、５同士を連結する左右方向を向く横杆(図示略)とからなっている。
【００２２】
図２および図３に示すように、各側脚５の上端における前後部には、左右方向に貫通する前後１対の挿通孔６、６が設けられており、各挿通孔６には、左右方向を向く板状の支持ブラケット７が、一部が天板２の側端より外側方に進退可能として、かつ天板２の下面に沿って左右方向に摺動可能として嵌合されている。
【００２３】
支持ブラケット７における天板２の側端より外側方に進出しうる右端部には、大径孔８ａと、その右端部に連設された狭幅孔８ｂとからなるだるま孔状の係合孔８が設けられている。
【００２４】
側脚５の内側に位置する支持ブラケット７の左端部には、上下方向を向くねじ挿通孔９が設けられている。
また、支持ブラケット７の左端には、下向折曲片７ａとした操作部が設けられ、これを把持して、支持ブラケット７を天板２の下面に沿って左右方向に進退し易いようにしてある。
【００２５】
天板２の側端と、それに対向する室内の側壁１０との間隙Ｓを閉塞するための拡張天板１１は、前後長と側端の形状が天板２の前後長と側端の形状と同一で、左右幅Ｗが間隙Ｓの寸法に近いものが用いられる。
【００２６】
この拡張天板１１の下面には、前後の支持ブラケット７、７を、天板２の側端より外側方に予め定めた距離だけ進出させたとき、それらの係合孔８における大径孔８ａの中心に対応する位置に、有頭ピン１２、１２がそれぞれ下向突設されている。
【００２７】
各有頭ピン１２は、上下方を向く軸部１２ａの上端に、天板２の下面にねじ込まれた雄ねじ部１２ｂが連設され、かつ軸部１２ａの下端に拡大頭部１２ｃが連設されたものよりなっている。
【００２８】
軸部１２ａの外径は、支持ブラケット７における係合孔８の狭幅孔８ｂの幅より小としてあり、拡大頭部１２ｃの外径は、支持ブラケット７における係合孔８の狭幅孔８ｂの幅より大、かつ大径孔８ａの内径より小としてある。
【００２９】
したがって、図４に示すように、前後の支持ブラケット７、７を、天板２の側端より外側方に予め定めた距離だけ進出させた状態で、拡張天板１１を、その下面に設けた有頭ピン１２の拡大頭部１２ｃが、各支持ブラケット７における係合孔８の大径孔８ａに上方より嵌合するようにして、天板２の側端と、それに対向する室内の側壁１０との間隙Ｓ内において、前後の支持ブラケット７、７における天板２の側端より外側方に進出させた部分に載置し、その後、拡張天板１１の内側端を天板２の外側端に当接させ、かつ前後の支持ブラケット７、７を、天板２の内方に引き寄せて、有頭ピン１２における軸部１２ａが係合孔８における狭幅孔８ｂに係合し、かつ有頭ピン１２における拡大頭部１２ｃが、支持ブラケット７の下面における狭幅孔８ｂの縁部に係合した状態で、各支持ブラケット７を、その左端部に設けたねじ挿通孔９に下方より挿通させた固定ねじ１３をもって、天板２の下面に止着することにより、拡張天板１１は、天板２の側端に強固に固着される。
【００３０】
このテーブル１への拡張天板１１の取付要領が、本発明の拡張天板の取付方法の一実施要領である。
【００３１】
上記のような本発明の拡張天板の取付構造、およびそれを備える天板付き什器の第１の実施形態においては、拡張天板１１の下面に軸部１２ａが突設され、かつ軸部１２ａの下端に拡大頭部１２ｃを備える有頭ピン１２が、拡張天板１１の下面に設けた係合部をなし、支持ブラケット７に穿設され、有頭ピン１２の拡大頭部１２ｃが遊通しうる大径孔８ａと、その外側部分に連設され、有頭ピン１２の軸部１２ａが挿通可能で、拡大頭部１２ｃは挿通不能とした狭幅孔８ｂとを有する係合孔８が、支持ブラケット７における天板２の側端より外側方に進出しうる部分に設けられ、かつ係合部と係合しうる被係合部をなし、さらに、固定ねじ１３が、拡張天板１１を天板２の側端に当接させ、かつ支持ブラケット７を天板２の内方に引き寄せた状態で、支持ブラケット７を天板２に止着する止着手段をなしている。
【００３２】
この係合部と被係合部との係合と、止着手段とにより、天板２の側方に拡張天板１１の取り付けのための十分な作業空間を確保することができない場合でも、支持ブラケット７の進退作業と、支持ブラケット７の天板下面への止着作業とを、いずれも側脚５より内側の天板２の下方において行うことができ、拡張天板１１の下方の空間を作業空間として使用する必要がないので、拡張天板１１を簡単かつ迅速に取り付けることができる。
【００３３】
また、上記のように、係合部を、拡張天板１１の下面に軸部１２ａが突設され、かつ軸部１２ａの下端に拡大頭部１２ｃを備える有頭ピン１２とし、かつ被係合部を、支持ブラケット７に穿設され、有頭ピン１２の拡大頭部１２ｃが遊通しうる大径孔８ａと、その外側部分に連設され、有頭ピン１２の軸部１２ａが挿通可能で、拡大頭部１２ｃは挿通不能とした狭幅孔８ｂとを有する係合孔８とすると、有頭ピン１２における軸部１２ａが係合孔８の狭幅孔８ｂに係合し、かつ有頭ピン１２における拡大頭部１２ｃが、支持ブラケット７の下面における狭幅孔８ｂの縁部に係合することにより、拡張天板１１は、その内端が天板２の外側端に当接した状態で、上下、左右、前後のいずれの方向にも移動不能として、天板２に強固に固着される。
【００３４】
さらに、上記第１の実施形態においては、天板２を支持する支持体３の上端に、内外方向に貫通する挿通孔６を設け、支持ブラケット７を挿通孔６に挿通させることにより、支持ブラケット７を天板２の下面に摺動可能として装着してあるので、支持ブラケット７を、天板２の下面に、一部が天板２の側端より外側方に進退可能として、簡単に支持させることができる。
【００３５】
上記のような本発明の拡張天板の取付方法の一実施要領によると、天板２の側方に拡張天板１１の取り付けのための十分な作業空間を確保することができない場合でも、拡張天板１１を簡単かつ迅速に取り付けることができるだけでなく、有頭ピン１２における軸部１２ａが係合孔８の狭幅孔８ｂに係合し、かつ有頭ピン１２における拡大頭部１２ｃが、支持ブラケット７の下面における狭幅孔８ｂの縁部に係合し、拡張天板１１は、その内端が天板２の外側端に当接した状態で、上下、左右、前後のいずれの方向にも移動不能として、天板２に強固に固着される。
【００３６】
また、上記支持ブラケット７、７と有頭ピン１２と固定ねじ１３とを利用して、図５および図６に示すように、同一形状とした２個のテーブル１、１を左右に並べて連結することができる。
【００３７】
すなわち、２個のテーブル１、１を、それらの天板２、２の側端同士が当接するようにして並設し、そのとき、左右方向に整合するようにした各支持体３の側脚５の上端における挿通孔６、６に、支持ブラケット７を連続して挿通させ、その支持ブラケット７における一方の端部を、ねじ挿通孔９に挿通させた固定ねじ１３をもって、一方のテーブル１の天板２の下面に止着し、かつ支持ブラケット７における他方の端部を、係合孔８における狭幅孔８ｂに軸部１２ａを挿通させた有頭ピン１２をもって、他方のテーブル１の天板２の下面に止着することにより、同一形状とした２個のテーブル１、１を左右に並べて、簡単かつ強固に連結することができる。
【００３８】
したがって、この拡張天板の取付構造の第１の実施形態においては、拡張天板１１を支持する部品を利用して、同一形状とした２個のテーブル１、１の連結を図ることができ、汎用性が増す。
【００３９】
図７は、本発明の拡張天板の取付構造を備える天板付き什器の第２の実施形態を示す。なお、第１の実施形態におけるのと同一または類似の部材には、同一の符号を付して図示するに止め、それらについての詳細な説明は省略する。
この第２の実施形態においては、拡張天板１１の下面に、上端部が拡張天板１１の基端側、すなわち図７における左方を向く鉤形孔１４とした係合部が設けられ、かつ左右方向を向く支持ブラケット１５の外側端部に、上向鉤形折返し片１６とした被係合部が設けられている。
【００４０】
第２の実施形態においては、支持ブラケット１５を、図７に２点鎖線で示すように、天板２の側端より外側方に予め定めた距離だけ進出させた状態で、拡張天板１１を、その下面に設けた鉤形孔１４が、支持ブラケット１５における上向鉤形折返し片１６に上方より嵌合するようにして、支持ブラケット１５における天板２の側端より外側方に進出させた部分に載置し、その後、拡張天板１１の内側端を天板２の外側端に当接させ、かつ支持ブラケット１５を、天板２の内方に引き寄せて、その上向鉤形折返し片１６を、図７に実線で示すように、鉤形孔１４の鉤形部分に係合させ、その状態で、支持ブラケット１５を、その左端部に設けたねじ挿通孔９に下方より挿通させた固定ねじ１３をもって、天板２の下面に止着することにより、拡張天板１１は、天板２の側端に強固に固着される。
【００４１】
本発明は、上記実施形態のみに限定されるものではなく、特許請求の範囲を逸脱することなく、例えば、次のような変形した態様での実施が可能である。
(１)  有頭ピン１２を支持ブラケット７の上面に突設して、これを被係合部とし、かつだるま孔状の係合孔８を、天板２の下面に設けて、これを係合部とする。この場合、係合孔８の狭幅孔８ｂは、大径孔８ａの拡張天板１１の基端寄りに連設される。
(２)  支持ブラケット７の一部を天板２の側端より予め定めた位置まで進出させたとき、側脚５の内側面に当接して、支持ブラケット７のそれ以上の進出を阻止するストッパを、支持ブラケット７に設ける。
(３)  挿通孔９を、左右方向に長い長孔とし、これを挿通するようにして天板２の下面に設けたねじ孔に螺合した固定ねじ１３を緩めることにより、支持ブラケット７を左右方向に摺動可能とする。
【産業上の利用可能性】
【００４２】
本発明は、テーブルだけでなく、天板を有するキャビネット、ワゴン等の天板付き什器にも適用することができる。
【符号の説明】
【００４３】
Ｓ  間隙
Ｗ  拡張天板の左右幅
１  テーブル(天板付き什器)
２  天板
３  支持体
４  アジャスタ
５  側脚
６  挿通孔
７  支持ブラケット
７ａ下向折曲片(操作部)
８  係合孔(被係合部)
８ａ大径孔
８ｂ狭幅孔
９  ねじ挿通孔
１０  側壁
１１  拡張天板
１２  有頭ピン(係合部)
１２ａ軸部
１２ｂ雄ねじ部
１２ｃ拡大頭部
１３  固定ねじ(止着手段)
１４  鉤形孔(係合部)
１５  支持ブラケット
１６  上向鉤形折返し片(被係合部)
【図１】
0006649074.tif 000002
【図２】
0006649074.tif 000003
【図３】
0006649074.tif 000004
【図４】
0006649074.tif 000005
【図５】
0006649074.tif 000006
【図６】
0006649074.tif 000007
【図７】
0006649074.tif 000008